(57)【要約】【課題】形状の複雑な部位においても作業性よく施工することが可能で、とくにリフォーム用に適した化粧シートおよびその施工方法を提供する。【解決手段】保護シート１、基材シート３および離型紙５をこの順に積層してなるとともに、該保護シート１と基材シート３との間には粘着力の弱い第１粘着剤層２が介在し、該基材シート３と離型紙５との間には粘着力の強い第２粘着剤層４が介在してなる化粧シートＡを用い、まず、剥離した保護シート１を施工部位上で型取りして型シート６とし、この型シート６を上記基材シート３に再粘着させた後、型どおりにカットし、型取りされた化粧シートＢを、その離型紙５を剥離して施工部位に貼着する。【選択図】図２
2004322336.tif 000002
【特許請求の範囲】
【請求項１】
保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シート。
【請求項２】
上記第１粘着剤層が保護シートへの接着力に優れるとともに、基材シートから剥離容易である請求項１に記載の化粧シート。
【請求項３】
上記第１粘着剤層が基材シートから剥離容易であるとともに、該基材シートに再粘着可能である請求項１に記載の化粧シート。
【請求項４】
上記基材シートが表面に木目模様を有する突板シートである請求項１に記載の化粧シート。
【請求項５】
保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シートを用い、まず、剥離した保護シートを施工部位上で型取りして型シートとし、この型シートを上記基材シートに再粘着させた後、型どおりにカットし、型取りされた化粧シートを、その離型紙を剥離して施工部位に貼着することを特徴とする化粧シートの施工方法。
【発明の詳細な説明】
【０００１】
【発明の属する技術分野】
本発明は、住宅等の玄関、廊下、階段等に見栄えのよい外観を付与するために使用する化粧シート及びその施工方法に関する。さらに詳しくは、複雑な形状を有する部位に施工するのに適した化粧シート及びその施工方法に関する。
【０００２】
【従来の技術】
従来、住宅、各種ビル等の玄関、廊下、階段等あるいは室内の壁に貼着して用いられる化粧シートについては、その用途に応じて多数の種類が知られており、また、種々の先行技術が公知である（例えば、特許文献１、２、３参照。）。
【０００３】
【特許文献１】
特開平８−３２３９２０号公報（第１−４頁、第１図）
【特許文献２】
特開平５−２４７４１７号公報（第１−２頁、第１図）
【特許文献３】
特開平４−５５５５７号公報（第１−３頁、第２図）
【０００４】
【発明が解決しようとする課題】
しかしながら、例えば、らせん状階段の踏み板と蹴込み板の接続部分等、複雑な形状を有する部位に化粧シートを施工する場合は、予め型紙で上記部位の形状に合わせて採寸し、その形状と同寸、同大にカットした化粧シートを再び貼り付けなければならない。そのため、上記した施工方法は、手間がかかり、かつ、熟練を要するという問題がある。本発明はこのような問題を解決するためになされたものであって、住宅、各種ビル等の内部において、形状の複雑な部位においても作業性よく施工することが可能で、とくにリフォーム用に適した化粧シートおよびその施工方法を提供することを、その課題とする。
【０００５】
【課題を解決するための手段】
本発明は、上記課題を解決するために考え出されたものであって、つぎのような技術的手段を講じている。すなわち、本願第一発明によれば、保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シートが提供される。このようにすることにより、形状の複雑な部位においても、隙間なく、きれいに施工することが可能な化粧シートを得ることができる。
【０００６】
上記第１粘着剤層が保護シートへの接着力に優れるとともに、基材シートから剥離容易とされることが好ましい。このようにすることによって、保護シートを、基材シートから剥離して型シートとして用いることが可能となり、複雑な形状を有する施工部位においても、保護シートを型シートとして用い、容易に型取りすることができる。
【０００７】
上記第１粘着剤層が基材シートから剥離容易であるとともに、該基材シートに再粘着可能とされる。上記のようにして複雑な形状を有する施工部位で型取りした型シートを該基材シートに再粘着すれば、型シートの型どおりに、容易に型取りすることができる。
【０００８】
上記基材シートが表面に木目模様を有する突板シートとすることが好ましい。らせん状階段の踏み板等、木目模様で形状の複雑な部位を施工する場合、上記のように型取りされた突板シートを基材シートとし、第２粘着剤層を介して貼着することにより、隙間なく、きれいに木目模様を付与して施工することができる。
【０００９】
さらに、本願第二発明によれば、保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シートを用い、まず、剥離した保護シートを型シートとして施工部位上で型取りし、型取り後の型シートを上記基材シートに再粘着させた後、型どおりにカットし、カットされた化粧シートを、その離型紙を剥離して施工部位に貼着することを特徴とする化粧シートの施工方法が提供される。このようにすることによって、形状の複雑な部位においても、隙間なく、きれいに施工できる化粧シートの施工方法が提供される。
【００１０】
【発明の実施の形態】
以下、本発明の好ましい実施の形態について、図面を参照して、さらに詳細に説明する。図１は、本願第一発明にかかる化粧シートの構成を側面から示す説明図である。図１に示されているように、化粧シートＡは、上から保護シート１、基材シート３、離型紙５が、第１粘着材層２、第２粘着材層４を介して順次積層されている。このとき、基材シート３は、例えば、木目等の模様を印刷した化粧フィルム３１と基材３２とから構成され、基材３２に可撓性があればロール状に、可撓性がなければ定型シートとして供される。
【００１１】
保護シート１は、透明または半透明材料からなり、二軸延伸プラスチックフィルムが好ましく用いられる。中でも、二軸延伸ポリプロピレンフィルム（ＯＰ）が、透明性、強度、耐水性等において優れているため、好ましく用いられる。第１粘着剤層２を形成する第１粘着剤としては、アクリル系、ゴム系、ポリウレタン系、シリコーン系等の粘着剤であって、その粘着力が常温では弱くなるように、かつ、ＯＰとの親和性が強くなるように調製された粘着剤から選択される。
【００１２】
基材シート３としては、背面に木目模様等を印刷した軟質ポリ塩化ビニルフィルム、ポリエチレンテレフタレート、ポリブチレンテレフタレート、またはポリプロピレン等の化粧フィルム３１を、プラスチックシート等の可撓性部材や合板等の基材３２に張り合わせたものが用いられる。第２粘着剤層４を形成する第２粘着剤としては、ロジン系樹脂、テルペン系樹脂、キシレン系樹脂、イソプレン樹脂、化石油樹脂等、室温で強い粘着力を発揮するものであれば適宜使用可能である。離型紙５としては、例えば、シリコン離型剤を塗布加工した公知の離型紙を用いることができる。
【００１３】
つぎに、本願第二発明にかかる化粧シートＡの施工方法を、実施例により説明する。本実施例は、上記、図１のように構成した本願第一発明にかかる化粧シートＡを、らせん状階段の踏み板をリフォームする場合に適用した例である。図２は、木目調の模様を背面に印刷した化粧フィルム３１を合板３２に貼着して得られた突板シートを基材シート３とし、この突板シートの上面に第１粘着剤層２を介して粘着された透明な保護シート１を剥離する様子を示す説明図である。
【００１４】
図２に示すように、保護シート１は第１粘着剤層２とともに剥離し、型シート６として用いられる。すなわち、剥離された保護シート１は、図３に示すように、らせん状階段の踏み板部分に粘着され型シート６として用いられる。型取りを行った後、この型取りされた型シート６は施工部位から剥離され、再び、突板シートの上に貼着される。再貼着後、図４に示すように、型シート６の型どおりに突板シートを剥離紙５とともにカットすれば、施工部位の形状にぴったりと合わされた化粧シートＢが得られる。その後、最終的に離型紙５を剥離し、隙間のないように、上記踏み板の施工部位に貼着し、公知の方法により圧着、養生する。かくして、第２粘着剤層４を介して施工部位と突板シートが強力に粘着し、隙間なく、きれいに木目模様の化粧シートを施工することができる。
【００１５】
【発明の効果】
以上述べたように、請求項１の記載にかかる本願第一発明は、保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シートである。このようにすることにより、形状の複雑な部位においても、隙間なく、きれいに施工することが可能な化粧シートを提供することができる。
【００１６】
請求項２に記載の発明は、上記第１粘着剤層が保護シートへの接着力に優れるとともに、基材シートから剥離容易とされる。このようにすることによって、請求項１に記載の発明の効果に加えて、保護シートを、基材シートから剥離して型シートとして用いることが可能となり、複雑な形状の施工部位においても、保護シートを用いて容易に型取りすることができる。
【００１７】
請求項３に記載の発明は、上記第１粘着剤層が基材シートから剥離容易であるとともに、該基材シートに再粘着可能とされる。このようにすることによって、請求項１に記載の発明の効果に加えて、上記のようにして複雑な形状の施工部位上で型取りした型シートを該基材シートに再粘着すれば、型シートの型どおりに、容易に型取りすることができる。
【００１８】
請求項４に記載の発明は、上記基材シートが表面に木目模様を有する突板シートとされる。このようにすることにより、請求項１に記載の発明の効果に加えて、らせん状階段の踏み板等、木目模様で形状の複雑な部位を施工する場合、上記のように型取りされた突板シートを基材シートとし、第２粘着剤層を介して貼着すれば、隙間なく、きれいに木目模様を付与することができる。
【００１９】
請求項５の記載にかかる本願第二発明は、保護シート、基材シートおよび離型紙をこの順に積層してなるとともに、該保護シートと基材シートとの間には粘着力の弱い第１粘着剤層が介在し、該基材シートと離型紙との間には粘着力の強い第２粘着剤層が介在してなる化粧シートを用い、まず、剥離した保護シートを型シートとして施工部位上で型取りし、型取り後の型シートを上記基材シートに再粘着させた後、型どおりにカットし、カットされた化粧シートを、その離型紙を剥離して施工部位に貼着することを特徴とする化粧シートの施工方法である。このようにすることにより、形状の複雑な部位においても、隙間なく、きれいに施工可能な化粧シートの施工方法を提供することができる。
【図面の簡単な説明】
【図１】本願第一発明にかかる化粧シートの構成を側面から示す説明図である。
【図２】本願第二発明にかかる化粧シートの施工方法を示す説明図である。
【図３】本願第二発明にかかる化粧シートの施工方法を示す説明図である。
【図４】本願第二発明にかかる化粧シートの施工方法を示す説明図である。
【符号の説明】
Ａ          本願第一発明にかかる化粧シート
１          保護シート
２          第１粘着材層
３          基材シート
３１                化粧フィルム
３２        基材
４          第２粘着材層
５          離型紙
６          型シート
Ｂ          型取りされた化粧シート
【図１】
2004322336.tif 000003
【図２】
2004322336.tif 000004
【図３】
2004322336.tif 000005
【図４】
2004322336.tif 000006